【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
印刷ジョブに従って用紙に画像を印刷する印刷手段と、
前記印刷手段により印刷される複数の印刷ジョブ分の用紙を積載可能な第１の積載手段と、
前記印刷ジョブに従って前記印刷手段により印刷される用紙の枚数を検出する検出手段と、
前記検出手段により検出された前記用紙の枚数が所定の枚数より多い場合に、前記印刷手段が前記印刷ジョブに従って用紙に画像を印刷し、前記第１の積載手段が前記印刷手段により画像が印刷された用紙を積載する第１の印刷処理を実行するよう制御し、前記検出手段により検出された用紙の枚数が前記所定の枚数より少ない場合に、前記第１の印刷処理を実行しないよう制御する制御手段とを有することを特徴とする印刷装置。
【請求項２】
前記制御手段は、前記検出手段により検出された用紙の枚数が前記所定の枚数より少ない場合に、前記印刷手段が前記印刷ジョブに従って用紙に画像を印刷しないよう制御することを特徴とする請求項１に記載の印刷装置。
【請求項３】
積載可能な用紙の枚数が前記第１の積載手段より少ない第２の積載手段を更に有し、
前記制御手段は、前記検出手段により検出された前記用紙の枚数が前記所定の枚数より少ない場合に、前記印刷手段が前記印刷ジョブに従って用紙に画像を印刷し、前記第２の積載手段が前記印刷手段により画像が印刷された用紙を積載する第２の印刷処理を実行するよう制御することを特徴とする請求項１に記載の印刷装置。
【請求項４】
前記印刷手段により印刷される用紙を積載する積載手段を複数の積載手段の中から選択する選択する選択手段を更に有し、
前記制御手段は、前記選択手段により前記第１の積載手段が選択された場合において、前記検出手段により検出された前記用紙の枚数が前記所定の枚数より多い場合に、前記第１の印刷処理を実行するよう制御し、前記検出手段により検出された用紙の枚数が所定の枚数より少ない場合に、前記第１の印刷処理を実行しないよう制御することを特徴とする請求項１乃至３の何れか１項に記載の印刷装置。
【請求項５】
前記第１の積載手段に積載された用紙を前記印刷装置のユーザが取り出す取出操作の実行を検知する検知手段を更に有し、
前記制御手段は、前記検知手段により前記取出操作の実行が検知された場合に、前記印刷手段における印刷を停止させるよう制御することを特徴とする請求項１乃至４の何れか１項に記載の印刷装置。
【請求項６】
印刷ジョブに従って用紙に画像を印刷する印刷手段と、前記印刷手段により印刷される複数の印刷ジョブ分の用紙を積載可能な第１の積載手段とを有する印刷装置の制御方法であって、
検出手段が、前記印刷ジョブに従って前記印刷手段により印刷される用紙の枚数を検出する検出工程と、
制御手段が、前記検出工程により検出された前記用紙の枚数が所定の枚数より多い場合に、前記印刷手段が前記印刷ジョブに従って用紙に画像を印刷し、前記第１の積載手段が前記印刷手段により画像が印刷された用紙を積載する第１の印刷処理を実行するよう制御し、前記検出工程により検出された用紙の枚数が前記所定の枚数より少ない場合に、前記第１の印刷処理を実行しないよう制御する制御工程とを有することを特徴とする制御方法。
【請求項７】
前記制御工程では、前記検出工程により検出された用紙の枚数が前記所定の枚数より少ない場合に、前記印刷手段が前記印刷ジョブに従って用紙に画像を印刷しないよう制御することを特徴とする請求項６に記載の制御方法。
【請求項８】
前記印刷装置は、積載可能な用紙の枚数が前記第１の積載手段より少ない第２の積載手段を更に有し、
前記制御工程では、前記検出工程により検出された前記用紙の枚数が前記所定の枚数より少ない場合に、前記印刷手段が前記印刷ジョブに従って用紙に画像を印刷し、前記第２の積載手段が前記印刷手段により画像が印刷された用紙を積載する第２の印刷処理を実行するよう制御することを特徴とする請求項６に記載の制御方法。
【手続補正２】
【補正対象書類名】明細書
【補正対象項目名】発明の名称
【補正方法】変更
【補正の内容】
【発明の名称】印刷装置及びその制御方法
【手続補正３】
【補正対象書類名】明細書
【補正対象項目名】０００１
【補正方法】変更
【補正の内容】
【０００１】
本発明は印刷システム、印刷制御装置及びそのジョブ処理方法に関する。特に、複数のジョブを受付け可能な印刷装置及びその制御方法に関するものである。
【手続補正４】
【補正対象書類名】明細書
【補正対象項目名】００１２
【補正方法】変更
【補正の内容】
【００１２】
そこで、本発明は、上記課題に鑑みてなされたものであり、オフィス環境に留まらずＰＯＤ環境にも適応可能な便利な印刷装置及びその制御方法を提供する。
【手続補正５】
【補正対象書類名】明細書
【補正対象項目名】００１４
【補正方法】変更
【補正の内容】
【００１４】
上記目的の為、本発明の印刷装置は、印刷ジョブに従って用紙に画像を印刷する印刷手段と、前記印刷手段により印刷される複数の印刷ジョブ分の用紙を積載可能な第１の積載手段と、前記印刷ジョブに従って前記印刷手段により印刷される用紙の枚数を検出する検出手段と、前記検出手段により検出された前記用紙の枚数が所定の枚数より多い場合に、前記印刷手段が前記印刷ジョブに従って用紙に画像を印刷し、前記第１の積載手段が前記印刷手段により画像が印刷された用紙を積載する第１の印刷処理を実行するよう制御し、前記検出手段により検出された用紙の枚数が前記所定の枚数より少ない場合に、前記第１の印刷処理を実行しないよう制御する制御手段とを有することを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
また、本発明の印刷装置の制御方法は、印刷ジョブに従って用紙に画像を印刷する印刷手段と、前記印刷手段により印刷される複数の印刷ジョブ分の用紙を積載可能な第１の積載手段とを有する印刷装置の制御方法であって、検出手段が、前記印刷ジョブに従って前記印刷手段により印刷される用紙の枚数を検出する検出工程と、制御手段が、前記検出工程により検出された前記用紙の枚数が所定の枚数より多い場合に、前記印刷手段が前記印刷ジョブに従って用紙に画像を印刷し、前記第１の積載手段が前記印刷手段により画像が印刷された用紙を積載する第１の印刷処理を実行するよう制御し、前記検出工程により検出された用紙の枚数が前記所定の枚数より少ない場合に、前記第１の印刷処理を実行しないよう制御する制御工程とを有することを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
本発明によれば、オフィス環境に留まらずＰＯＤ環境にも適応可能な便利な印刷装置及びその制御方法を提供できる。例えば、オフィス環境に留まらずＰＯＤ環境にも適応可能な使い勝手の良い便利な印刷環境が構築可能となる。また、極力、高い生産性でもってシステムを動作させたいといったニーズや、極力、オペレータの作業負荷を軽減したいといったニーズ等、ＰＯＤ等の印刷環境における実際の作業現場のニーズにも対処可能となる。